【手続補正書】
【提出日】平成20年9月24日(2008.9.24)
【手続補正１】
【補正対象書類名】特許請求の範囲
【補正対象項目名】全文
【補正方法】変更
【補正の内容】
【特許請求の範囲】
【請求項１】
情報再生装置によって再生される実体情報であって複数の情報単位に分割される実体情報を情報記録媒体に記録する情報記録装置において、
複数の前記情報単位からなる第１階層と、複数の前記情報単位に関連付けられる第１論理単位により構成される第２階層と、少なくとも一つの前記第１論理単位に関連付けられる第２論理単位により構成される第３階層と、を用いて前記実体情報の再生制御を行うための付加情報を生成する付加情報生成手段と、
前記生成された付加情報と前記実体情報とにより記録情報を生成する記録情報生成手段と、
前記生成された記録情報を前記情報記録媒体に記録する記録手段と、
を備え、
前記付加情報は、前記第１論理単位の各々に対応する禁止情報であって、前記実体情報の再生時において前記第２階層に属する前記第１論理単位のいずれか一つが再生対象として選ばれて当該再生が開始されるとき、当該再生対象たる前記第１論理単位からの前記情報再生装置による特殊再生の開始が禁止されているか又は許可されているかを、当該第１論理単位に関連付けられる前記第２論理単位毎に示す禁止情報を含んでいることを特徴とする情報記録装置。
【請求項２】
情報再生装置によって再生される実体情報であって複数の情報単位に分割される実体情報を情報記録媒体に記録する情報記録装置において、
複数の前記情報単位からなる第１階層と、複数の前記情報単位に関連付けられる第１論理単位により構成される第２階層と、少なくとも一つの前記第１論理単位に関連付けられる第２論理単位により構成される第３階層と、を用いて前記実体情報の再生制御を行うための付加情報を生成する付加情報生成手段と、
前記生成された付加情報と前記実体情報とにより記録情報を生成する記録情報生成手段と、
前記生成された記録情報を前記情報記録媒体に記録する記録手段と、
を備え、
前記付加情報は、前記実体情報の再生時において前記情報単位のいずれか一つが再生対象として選択された場合、当該再生対象たる前記情報単位からの前記情報再生装置による特殊再生の開始が禁止されているか又は許可されているかを、前記第１論理単位に関連付けられる前記第２論理単位毎に示す禁止情報が、複数の階層の夫々において各々１ビットフラグとして含まれていることを特徴とする情報記録装置。
【請求項３】
請求項１又は２に記載の情報記録装置において、
前記特殊再生は、
少なくとも前方早送り又は後方早送りのいずれかにより再生を開始すべき位置が指定されるスキャン再生と、
再生を開始すべき位置が指定されるサーチ再生と、
であることを特徴とする情報記録装置。
【請求項４】
請求項１から３のいずれか一項に記載の情報記録装置において、
前記実体情報は、主映像情報、副映像情報及び音声情報から構成されていることを特徴とする情報記録装置。
【請求項５】
請求項１から４のいずれか一項に記載の情報記録装置において、
前記情報記録媒体はマスタディスクであることを特徴とする情報記録装置。
【請求項６】
請求項５に記載の情報記録装置において、
前記マスタディスクを用いてレプリカディスクを製造するレプリカ手段を更に備えることを特徴とする情報記録装置。
【請求項７】
請求項１に記載の前記記録情報が記録されている前記情報記録媒体を再生する前記情報再生装置であって、
前記実体情報及び前記付加情報を前記情報記録媒体から読み取る読取手段と、
前記読み取った付加情報に従って前記実体情報を再生制御する再生手段と、
前記特殊再生を指定するために用いられる指定手段と、
前記指定手段において前記特殊再生に基づく前記第１論理単位の再生が指示された場合、当該再生対象となる第１論理単位に対応する前記禁止情報に基づいて当該第１論理単位の特殊再生を禁止する制御手段と、
を備えることを特徴とする情報再生装置。
【請求項８】
請求項７に記載の情報再生装置において、
前記特殊再生は、前方早送り又は後方早送りにより再生を開始すべき位置が指定されるスキャン再生を含み、
前記制御手段は、前記スキャン再生の際に前記指定された位置が含まれる前記第１論理単位を対象とした前記特殊再生が前記禁止情報により禁止されている場合には、前記指定された位置に至るまでの移動方向と同一の方向に前記禁止情報により前記特殊再生の実行が禁止されていない前記第１論理単位に至るまで前記読取手段を移動させた後に前記第１論理単位の再生を開始することを特徴とする情報再生装置。
【請求項９】
請求項２に記載の前記記録情報が記録されている前記情報記録媒体を再生する前記情報再生装置であって、
前記実体情報及び前記付加情報を前記情報記録媒体から読み取る読取手段と、
前記読み取った付加情報に従って前記実体情報を再生制御する再生手段と、
前記特殊再生を指定するために用いられる指定手段と、
前記指定手段において前記特殊再生に基づく前記情報単位の再生が指示された場合、少なくとも二つの階層に記録された当該再生対象となる前記情報単位に対応する前記禁止情報のいずれか一つに基づいて当該情報単位の前記特殊再生を禁止する制御手段と、
を備えることを特徴とする情報再生装置。
【請求項１０】
請求項９に記載の情報再生装置において、
前記特殊再生は、前方早送り又は後方早送りにより再生を開始すべき位置が指定されるスキャン再生を含み、
前記制御手段は、前記スキャン再生の際に前記指定された位置が含まれる前記情報単位を対象とした前記特殊再生が前記禁止情報により禁止されている場合には、前記指定された位置に至るまでの移動方向と同一の方向に前記禁止情報により前記特殊再生の実行が禁止されていない前記情報単位に至るまで前記読取手段を移動させた後に前記情報単位の再生を開始することを特徴とする情報再生装置。
【請求項１１】
請求項７から１０のいずれか一項に記載の情報再生装置において、
前記特殊再生は、
少なくとも前方早送り又は後方早送りのいずれかにより再生を開始すべき位置が指定されるスキャン再生と、
再生を開始すべき位置が指定されるサーチ再生と、
であることを特徴とする情報再生装置。
【請求項１２】
請求項７から１１のいずれか一項に記載の情報再生装置において、
前記第２階層の各々には制御情報が含まれており、
当該制御情報は、当該制御情報が含まれる前記第２階層を構成する前記第１論理単位に関連付けられる前記第２論理単位により構成される前記第３階層についての前記特殊再生の禁止を示す第２再生禁止情報を含み、
前記制御手段は、一つの前記第２階層に対応する前記実体情報が記録されている位置に前記読取手段が移動した際に、当該実体情報を再生する前に前記一つの第２階層に含まれる前記制御情報を再生すると共に、当該再生された制御情報に含まれる前記第２再生禁止情報により前記特殊再生が禁止されている場合には、当該一つの第２階層に対応する前記第３階層を対象とする前記特殊再生の実行を禁止することを特徴とする情報再生装置。
【請求項１３】
情報再生方法を用いて再生される実体情報であって複数の情報単位に分割される実体情報を情報記録媒体に記録する情報記録方法において、
複数の前記情報単位からなる第１階層と、複数の前記情報単位に関連付けられる第１論理単位により構成される第２階層と、少なくとも一つの前記第１論理単位に関連付けられる第２論理単位により構成される第３階層と、を用いて前記実体情報の再生制御を行うための付加情報を生成する付加情報生成工程と、
前記生成された付加情報と前記実体情報とにより記録情報を生成する記録情報生成工程と、
前記生成された記録情報を前記情報記録媒体に記録する記録工程と、
を含み、
前記付加情報は、前記第１論理単位の各々に対応する禁止情報であって、前記実体情報の再生時において前記第２階層に属する前記第１論理単位のいずれか一つが再生対象として選ばれて当該再生が開始されるとき、当該再生対象たる前記第１論理単位からの前記情報再生装置による特殊再生の開始が禁止されているか又は許可されているかを、当該第１論理単位に関連付けられる前記第２論理単位毎に示す禁止情報を含んでいることを特徴とする情報記録方法。
【請求項１４】
情報再生方法を用いて再生される実体情報であって複数の情報単位に分割される実体情報を情報記録媒体に記録する情報記録方法において、
複数の前記情報単位からなる第１階層と、複数の前記情報単位に関連付けられる第１論理単位により構成される第２階層と、少なくとも一つの前記第１論理単位に関連付けられる第２論理単位により構成される第３階層と、を用いて前記実体情報の再生制御を行うための付加情報を生成する付加情報生成工程と、
前記生成された付加情報と前記実体情報とにより記録情報を生成する記録情報生成工程と、
前記生成された記録情報を前記情報記録媒体に記録する記録工程と、
を含み、
前記付加情報は、前記実体情報の再生時において前記情報単位のいずれか一つが再生対象として選択された場合、当該再生対象たる前記情報単位からの前記情報再生装置による特殊再生の開始が禁止されているか又は許可されているかを、前記第１論理単位に関連付けられる前記第２論理単位毎に示す禁止情報が、複数の階層の夫々において各々１ビットフラグとして含まれていることを特徴とする情報記録方法。
【請求項１５】
請求項１３又は１４に記載の情報記録方法において、
前記特殊再生は、
少なくとも前方早送り又は後方早送りのいずれかにより再生を開始すべき位置が指定されるスキャン再生と、
再生を開始すべき位置が指定されるサーチ再生と、
であることを特徴とする情報記録方法。
【請求項１６】
請求項１３から１５のいずれか一項に記載の情報記録方法において、
前記実体情報は、主映像情報、副映像情報及び音声情報から構成されていることを特徴とする情報記録方法。
【請求項１７】
請求項１３から１６のいずれか一項に記載の情報記録方法において、
前記情報記録媒体はマスタディスクであることを特徴とする情報記録方法。
【請求項１８】
請求項１７に記載の情報記録方法において、
前記マスタディスクを用いてレプリカディスクを製造するレプリカ工程を更に含むことを特徴とする情報記録方法。
【請求項１９】
請求項１３に記載の前記記録情報が記録されている前記情報記録媒体を再生する前記情報再生方法であって、
前記実体情報及び前記付加情報を前記情報記録媒体から読取手段を用いて読み取る読取工程と、
前記読み取った付加情報に従って前記実体情報を再生制御する再生工程と、
前記特殊再生を指定する指定工程と、
前記指定工程において前記特殊再生に基づく前記第１論理単位の再生が指示された場合、当該再生対象となる第１論理単位に対応する前記禁止情報に基づいて当該第１論理単位の特殊再生を禁止する制御工程と、
を含むことを特徴とする情報再生方法。
【請求項２０】
請求項１９に記載の情報再生方法において、
前記特殊再生は、前方早送り又は後方早送りにより再生を開始すべき位置が指定されるスキャン再生を含み、
前記制御工程においては、前記スキャン再生の際に前記指定された位置が含まれる前記第１論理単位を対象とした前記特殊再生が前記禁止情報により禁止されている場合には、前記指定された位置に至るまでの移動方向と同一の方向に前記禁止情報により前記特殊再生の実行が禁止されていない前記第１論理単位に至るまで前記読取手段を移動させた後に前記第１論理単位の再生を開始することを特徴とする情報再生方法。
【請求項２１】
請求項１４に記載の前記記録情報が記録されている前記情報記録媒体を再生する前記情報再生方法であって、
前記実体情報及び前記付加情報を前記情報記録媒体から読取手段を用いて読み取る読取工程と、
前記読み取った付加情報に従って前記実体情報を再生制御する再生工程と、
前記特殊再生を指定する指定工程と、
前記指定工程において前記特殊再生に基づく前記情報単位の再生が指示された場合、少なくとも二つの階層に記録された当該再生対象となる前記情報単位に対応する前記禁止情報のいずれか一つに基づいて当該情報単位の前記特殊再生を禁止する制御工程と、
を含むことを特徴とする情報再生方法。
【請求項２２】
請求項２１に記載の情報再生方法において、
前記特殊再生は、前方早送り又は後方早送りにより再生を開始すべき位置が指定されるスキャン再生を含み、
前記制御工程においては、前記スキャン再生の際に前記指定された位置が含まれる前記情報単位を対象とした前記特殊再生が前記禁止情報により禁止されている場合には、前記指定された位置に至るまでの移動方向と同一の方向に前記禁止情報により前記特殊再生の実行が禁止されていない前記情報単位に至るまで前記読取手段を移動させた後に前記情報単位の再生を開始することを特徴とする情報再生方法。
【請求項２３】
請求項１９から２１のいずれか一項に記載の情報再生方法において、
前記特殊再生は、
少なくとも前方早送り又は後方早送りのいずれかにより再生を開始すべき位置が指定されるスキャン再生と、
再生を開始すべき位置が指定されるサーチ再生と、
であることを特徴とする情報再生方法。
【請求項２４】
請求項１９から２３のいずれか一項に記載の情報再生方法において、
前記第２階層の各々には制御情報が含まれており、
当該制御情報は、当該制御情報が含まれる前記第２階層を構成する前記第１論理単位に関連付けられる前記第２論理単位により構成される前記第３階層についての前記特殊再生の禁止を示す第２再生禁止情報を含み、
前記制御工程においては、一つの前記第２階層に対応する前記実体情報が記録されている位置に前記読取手段が移動した際に、当該実体情報を再生する前に前記一つの第２階層に含まれる前記制御情報を再生すると共に、当該再生された制御情報に含まれる前記第２再生禁止情報により前記特殊再生が禁止されている場合には、当該一つの第２階層に対応する前記第３階層を対象とする前記特殊再生の実行を禁止することを特徴とする情報再生方法。
【手続補正２】
【補正対象書類名】明細書
【補正対象項目名】発明の名称
【補正方法】変更
【補正の内容】
【発明の名称】情報記録装置及び情報記録方法並びに情報再生装置及び情報再生方法
【手続補正３】
【補正対象書類名】明細書
【補正対象項目名】００１３
【補正方法】変更
【補正の内容】
【００１３】
上記の課題を解決するために、請求項１に記載の発明は、情報再生装置によって再生される実体情報であって複数の情報単位に分割される実体情報を情報記録媒体に記録する情報記録装置において、複数の前記情報単位からなる第１階層と、複数の前記情報単位に関連付けられる第１論理単位により構成される第２階層と、少なくとも一つの前記第１論理単位に関連付けられる第２論理単位により構成される第３階層と、を用いて前記実体情報の再生制御を行うための付加情報を生成する付加情報生成手段と、前記生成された付加情報と前記実体情報とにより記録情報を生成する記録情報生成手段と、前記生成された記録情報を前記情報記録媒体に記録する記録手段と、を備え、前記付加情報は、前記第１論理単位の各々に対応する禁止情報であって、前記実体情報の再生時において前記第２階層に属する前記第１論理単位のいずれか一つが再生対象として選ばれて当該再生が開始されるとき、当該再生対象たる前記第１論理単位からの前記情報再生装置による特殊再生の開始が禁止されているか又は許可されているかを、当該第１論理単位に関連付けられる前記第２論理単位毎に示す禁止情報を含んでいる。
【手続補正４】
【補正対象書類名】明細書
【補正対象項目名】００１４
【補正方法】変更
【補正の内容】
【００１４】
上記の課題を解決するために、請求項２に記載の発明は、情報再生装置によって再生される実体情報であって複数の情報単位に分割される実体情報を情報記録媒体に記録する情報記録装置において、複数の前記情報単位からなる第１階層と、複数の前記情報単位に関連付けられる第１論理単位により構成される第２階層と、少なくとも一つの前記第１論理単位に関連付けられる第２論理単位により構成される第３階層と、を用いて前記実体情報の再生制御を行うための付加情報を生成する付加情報生成手段と、前記生成された付加情報と前記実体情報とにより記録情報を生成する記録情報生成手段と、前記生成された記録情報を前記情報記録媒体に記録する記録手段と、を備え、前記付加情報は、前記実体情報の再生時において前記情報単位のいずれか一つが再生対象として選択された場合、当該再生対象たる前記情報単位からの前記情報再生装置による特殊再生の開始が禁止されているか又は許可されているかを、前記第１論理単位に関連付けられる前記第２論理単位毎に示す禁止情報が、複数の階層の夫々において各々１ビットフラグとして含まれている。
【手続補正５】
【補正対象書類名】明細書
【補正対象項目名】００１５
【補正方法】変更
【補正の内容】
【００１５】
上記の課題を解決するために、請求項７に記載の発明は、請求項１に記載の前記記録情報が記録されている前記情報記録媒体を再生する前記情報再生装置であって、前記実体情報及び前記付加情報を前記情報記録媒体から読み取る読取手段と、前記読み取った付加情報に従って前記実体情報を再生制御する再生手段と、前記特殊再生を指定するために用いられる指定手段と、前記指定手段において前記特殊再生に基づく前記第１論理単位の再生が指示された場合、当該再生対象となる第１論理単位に対応する前記禁止情報に基づいて当該第１論理単位の特殊再生を禁止する制御手段と、を備える。
上記の課題を解決するために、請求項９に記載の発明は、請求項２に記載の前記記録情報が記録されている前記情報記録媒体を再生する前記情報再生装置であって、前記実体情報及び前記付加情報を前記情報記録媒体から読み取る読取手段と、前記読み取った付加情報に従って前記実体情報を再生制御する再生手段と、前記特殊再生を指定するために用いられる指定手段と、前記指定手段において前記特殊再生に基づく前記情報単位の再生が指示された場合、少なくとも二つの階層に記録された当該再生対象となる前記情報単位に対応する前記禁止情報のいずれか一つに基づいて当該情報単位の前記特殊再生を禁止する制御手段と、を備える。
上記の課題を解決するために、請求項１３に記載の発明は、情報再生方法を用いて再生される実体情報であって複数の情報単位に分割される実体情報を情報記録媒体に記録する情報記録方法において、複数の前記情報単位からなる第１階層と、複数の前記情報単位に関連付けられる第１論理単位により構成される第２階層と、少なくとも一つの前記第１論理単位に関連付けられる第２論理単位により構成される第３階層と、を用いて前記実体情報の再生制御を行うための付加情報を生成する付加情報生成工程と、前記生成された付加情報と前記実体情報とにより記録情報を生成する記録情報生成工程と、前記生成された記録情報を前記情報記録媒体に記録する記録工程と、を含み、前記付加情報は、前記第１論理単位の各々に対応する禁止情報であって、前記実体情報の再生時において前記第２階層に属する前記第１論理単位のいずれか一つが再生対象として選ばれて当該再生が開始されるとき、当該再生対象たる前記第１論理単位からの前記情報再生装置による特殊再生の開始が禁止されているか又は許可されているかを、当該第１論理単位に関連付けられる前記第２論理単位毎に示す禁止情報を含んでいる。
上記の課題を解決するために、請求項１４に記載の発明は、情報再生方法を用いて再生される実体情報であって複数の情報単位に分割される実体情報を情報記録媒体に記録する情報記録方法において、複数の前記情報単位からなる第１階層と、複数の前記情報単位に関連付けられる第１論理単位により構成される第２階層と、少なくとも一つの前記第１論理単位に関連付けられる第２論理単位により構成される第３階層と、を用いて前記実体情報の再生制御を行うための付加情報を生成する付加情報生成工程と、前記生成された付加情報と前記実体情報とにより記録情報を生成する記録情報生成工程と、前記生成された記録情報を前記情報記録媒体に記録する記録工程と、を含み、前記付加情報は、前記実体情報の再生時において前記情報単位のいずれか一つが再生対象として選択された場合、当該再生対象たる前記情報単位からの前記情報再生装置による特殊再生の開始が禁止されているか又は許可されているかを、前記第１論理単位に関連付けられる前記第２論理単位毎に示す禁止情報が、複数の階層の夫々において各々１ビットフラグとして含まれている。
上記の課題を解決するために、請求項１９に記載の発明は、請求項１３に記載の前記記録情報が記録されている前記情報記録媒体を再生する前記情報再生方法であって、前記実体情報及び前記付加情報を前記情報記録媒体から読取手段を用いて読み取る読取工程と、前記読み取った付加情報に従って前記実体情報を再生制御する再生工程と、前記特殊再生を指定する指定工程と、前記指定工程において前記特殊再生に基づく前記第１論理単位の再生が指示された場合、当該再生対象となる第１論理単位に対応する前記禁止情報に基づいて当該第１論理単位の特殊再生を禁止する制御工程と、を含む。
上記の課題を解決するために、請求項２１に記載の発明は、請求項１４に記載の前記記録情報が記録されている前記情報記録媒体を再生する前記情報再生方法であって、前記実体情報及び前記付加情報を前記情報記録媒体から読取手段を用いて読み取る読取工程と、前記読み取った付加情報に従って前記実体情報を再生制御する再生工程と、前記特殊再生を指定する指定工程と、前記指定工程において前記特殊再生に基づく前記情報単位の再生が指示された場合、少なくとも二つの階層に記録された当該再生対象となる前記情報単位に対応する前記禁止情報のいずれか一つに基づいて当該情報単位の前記特殊再生を禁止する制御工程と、を含む。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】